(57)【要約】      （修正有）【課題】電子・電気機器の筐体に穴を開けるなどの加工をすることなく、利用者にとっては安全で、取り扱いの容易なＡＣ電源コード固定装置を提供することを目的としている。【解決手段】  電子・電気機器の筐体２にインレット３を固定する際に、前記電子・電気機器の筐体２と前記インレット３との間に挟み込むことにより前記電子・電気機器の筐体に固定させる台座部１１と、前記台座部に接続され、折れ曲がることによりＡＣ電源コードを所定の状態に支える支持部１２と、前記支持部に接続され、ＡＣ電源コード、又はプラグ部分を巻き付けるように包んで固定するバンド状の固定部１３を有するようにＡＣ電源コード固定装置構成する。【選択図】図５
2006228535.tif 000002
【特許請求の範囲】
【請求項１】
電子・電気機器にＡＣ電源を受電するインレットからＡＣ電源コードが離脱することを防止するための装置であって、
前記電子・電気機器の筐体と前記インレットとの間に挟み込まれる台座部と、
前記台座部に接続された支持部と、
前記支持部に接続され、ＡＣ電源コード、又はプラグ部分を巻き付けるように包んで固定するバンド状の固定部と、
を有することを特徴とするＡＣ電源コード固定装置。
【請求項２】
前記固定部は、面ファスナーを用いてＡＣ電源コード、又はプラグ部分を前記支持部に固定することを特徴とする請求項１記載のＡＣ電源コード固定装置。
【請求項３】
前記固定部は、ケーブルタイを用いてＡＣ電源コード、又はプラグ部分を前記支持部に固定することを特徴とする請求項１記載のＡＣ電源コード固定装置。
【発明の詳細な説明】
【技術分野】
【０００１】
本発明はＡＣ電源コード固定装置に関し、特に電子・電気機器にＡＣ電源を受電するための器具（インレット）に接続されたＡＣ電源コードのプラグがインレットから離脱することを防止するためのＡＣ電源コード固定装置に関するものである。
【背景技術】
【０００２】
電子・電気機器では、機器の筐体側にインレットを備え、機器を目的の場所に設置してからＡＣ電源コード側のプラグをインレットに差し込むことにより外部電源を受電するタイプのものが多い。特にコンピュータやその周辺装置、マイクロコンピュータで制御されるような電子・電気機器にはこの種のタイプのものが多い。ところが、このような電子・電気機器は、作動中に電源供給が突然ストップしてしまうと、機器の立ち上げに多大な時間を要したり、場合によっては機器の故障原因になり兼ねない。そのため、機器の筐体側にインレットを備えたタイプの電子・電気機器では、機器の周辺にいる利用者が誤って電源コードを引っかけたり、地震等の衝撃によりインレットから電源コードのプラグが離脱してしまうことを防止するためにＡＣ電源コード固定装置を備えるようにすることが望ましい。
【０００３】
現状でもＡＣ電源コード固定装置には様々なタイプのものが提供されていたり、考案されている。しかしながら、ＡＣ電源コード固定装置の製造元においてはより製造コストの優れたものを追求し、電子・電気機器の製造元においてはＡＣ電源コード固定装置の機器の筐体への取り付けコストのより優れたものが、電子・電気機器の設置者や利用者においては取り扱いのより容易な構造のものが望まれるようになってきている。そのため、前記のＡＣ電源コード固定装置に対する要請は今後一層強まってくるものと予想される。
【０００４】
前記のような要請に対しては、「プラグを係止する簡単な機構を電気機器に設けるだけで、プラグの脱落を完全に防止するともに、比較的安価で汎用性に優れたＡＣコード固定装置を提供すること」を目的として「電気機器１のインレット２にＡＣコード３を介してプラグ４が接続されており、電気機器１にはプラグ４の抜け防止をする係止具５が備えている。係止具５は、一端をＬ字状に曲げて電気機器１にネジ６で固定する取付穴７と、他端はプラグ４を締め付け可能な様にバンド形状とし樹脂製で一体形成され、係止部９の穴９ａにバンド８を通して固定する」技術が開示されている（例えば、特許文献１参照）。
【特許文献１】特開２００１−６８１１号公報  （第２−４頁）
【発明の開示】
【発明が解決しようとする課題】
【０００５】
しかしながら、前記のような従来技術においては、ＡＣ電源コード固定装置を機器の筐体にネジ止めで固定するようにしてあるために、機器の筐体にネジ穴を開けなければならない上に、ドライバなどの工具を用いてネジ止めが必要となり、電子・電気機器の製造元においてはコスト高となってしまうとともに、ネジ止めをするための手間が生じてしまう。
【０００６】
また、前記のようなＡＣ電源コード固定装置を装着した電子・電気機器を保管したり、運搬するときなどでは電子・電気機器の筐体面からプラグの長さ分程突起してしまうため、その都度取り外さないと邪魔になり、場合によっては怪我の原因になることも考えられる。
【０００７】
本発明は、電子・電気機器の筐体に穴を開けるなどの加工をすることなく、利用者にとっては安全で、取り扱いの容易なＡＣ電源コード固定装置を提供することを目的としている。
【課題を解決するための手段】
【０００８】
図１は、本発明の実施形態の説明図が示してある。本発明のＡＣ電源コード固定装置１は、電子・電気機器の筐体にインレットを固定する際に、前記電子・電気機器の筐体と前記インレットとの間に挟み込むことにより前記電子・電気機器の筐体に固定させる台座部１１と、前記台座部に接続され、折れ曲がることによりＡＣ電源コードを所定の状態に支える支持部１２と、前記支持部に接続され、ＡＣ電源コード、又はプラグ部分を巻き付けるように包んで固定するバンド状の固定部１３とから構成することにより、電子・電気機器の筐体に穴を開けるなどの加工をする必要のないＡＣ電源コード固定装置を提供することが可能となる。
【０００９】
また、固定部１３に面ファスナーやケーブルタイを用いることにより、利用者にとって取り扱いの容易なＡＣ電源コード固定装置を提供することが可能となる。
【発明の効果】
【００１０】
電子・電気機器の筐体に穴を開けるなどの加工をすることなく、利用者にとっては安全で、取り扱いの容易なＡＣ電源コード固定装置を提供することが可能となる。
【発明を実施するための最良の形態】
【００１１】
(実施例)
図１には本発明の実施の形態の説明図が示してある。左側の図面は本発明のＡＣ電源コード固定装置を電子・電気機器の筐体に取り付ける前の平面図である。ＡＣ電源コード固定装置１は、電子・電気機器の筐体と前記インレットとの間に挟み込まれる台座部１１と、前記台座部に接続さた支持部１２と、前記支持部に接続され、ＡＣ電源コード、又はプラグ部分を巻き付けるように包んで固定するバンド状の固定部１３とから構成することにより、電子・電気機器の筐体に穴を開けるなどの加工をする必要のないＡＣ電源コード固定装置を提供することが可能となる。
【００１２】
本発明のＡＣ電源コード固定装置において、台座部１１、支持部１２、および固定部１３間の接続方法は特に限定しないが、例えばポリエステル樹脂やポリカーボネート樹脂を材質にして一体整形とすることで製造コストも低く抑えることも可能となる。
【００１３】
右側の図面は、台座部１１、支持部１２、および固定部１３を一体整形して製造した場合のＡＣ電源コード固定装置１の側面図を表している。
【００１４】
図２は、本発明のＡＣ電源コード固定装置を電子・電気機器の筐体に装着する前の斜視図が示してある。台座部１１と支持部１２は所定の角度となるように折り曲げて使用する。
【００１５】
図３は、電子・電気機器の筐体２、及びインレット３とＡＣ電源コード固定装置との関係を示す斜視図が示してある。電子・電気機器の多くは、筐体２にインレット３の形状に応じた穴を開け、インレット３を筐体２に差し込み、インレットの側面に設けられた抜け防止突起で固定されている。本発明のＡＣ電源コード固定装置は、台座部１１にインレット３の形状に応じた穴を開けた構造とし、台座部１１を筐体２とインレット３の間に挟むかたちでインレット３を筐体２に差し込みインレットの側面に設けられた抜け防止突起で固定されるものである。
【００１６】
図４、図５、図６は、電子・電気機器の筐体２にＡＣ電源コード固定装置を取り付ける手順を示す斜視図である。先ず図４で示すように電子・電気機器の筐体２とＡＣ電源コード固定装置の台座１１の穴の位置を合わせる。次に図５で示すようにインレット３をＡＣ電源コード固定装置の台座１１を挟んだかたちで筐体２に差し込みインレットの側面に設けられた抜け防止突起で固定する。次に図６で示すように電子・電気機器の筐体２に固定されたインレット３にプラグ４１を差し込み、ＡＣ電源コード固定装置の固定部１３をＡＣ電源コード４２を巻き付けるように包んで固定する。これにより、電子・電気機器の筐体に穴を開けるなどの加工をすることなく、利用者にとって取り扱いの容易なＡＣ電源コード固定装置を提供することが可能となる。
【００１７】
図７は、ＡＣ電源コード固定装置の台座部１１の上部にスリット１１１を入れ、かつ固定部１３に面ファスナーを使用した例の斜視図が示してある。固定部１３の内側の面に面ファスナー（ループ面またはフック面）１３１を、外側に面ファスナー（面ファスナー１３１に対応するループ面またはフック面）１３２を貼付してある。
【００１８】
図８は、筐体２にインレット３が装着済み（図示してはいないが、インレット３の裏面には電源コードが配線済み）の状態における、図７で示したＡＣ電源コード固定装置を装着する場合の例を示す斜視図である。筐体２には面ファスナー（面ファスナー１３１に対応するループ面またはフック面）２１が貼付してあるが、面ファスナー２１の使用方法については図９で説明するので、ここでは説明を省略する。
【００１９】
先ず、筐体２からインレット３を矢印の方向に抜き出すのであるが、インレット３の裏面には既に電源線が配線されている。そのため、図２で示したような台座部１１にスリットの入っていないＡＣ電源コード固定装置では、インレット３に配線された電源線を一旦取り外さないと装着は出来ない。しかしながら、例えば材質にポリエステル樹脂やポリカーボネート樹脂を用い、図７で示すような台座部１１にスリット１１１を入れたＡＣ電源コード固定装置を使用する場合、これらの樹脂は柔軟性、弾性に富み、スリット１１１部分を左右に拡げるたり、前後に捻ることによりスリット１１１部分の隙間を拡張して電源線を通すことが可能であるとともに、電源線を通した後は元の形状に復元する。そのため、インレット３に電源線が配線済の電子・電気機器にも、電源線の配線を外すことなく電子・電気機器の筐体にＡＣ電源コード固定装置１を容易に装着することが可能となる。
【００２０】
図９は、図７で示したような固定部１３に面ファスナーを使用したＡＣ電源コード固定装置を電子・電気機器の筐体２に装着し、電源コードをインレット３から取り外した状態例を示した斜視図である。ＡＣ電源コード固定装置の支持部１２を電子・電気機器の筐体に接するまで折り曲げ、固定部１３の面ファスナー（フック面またはループ面）１３１に相対する位置に図８で示すように面ファスナー（ループ面またはフック面）２１を貼付することにより、電子・電気機器がＡＣ電源の受電の不要なときには、ＡＣ電源コード固定装置全体を電子・電気機器の筐体面に密着させるように折り畳めるので電子・電気機器の筐体から突起することがなくなり、利用者にとって安全なＡＣ電源コード固定装置を提供することが可能となる。なお、面ファスナー２１の貼付位置は、図９におけるインレット３の下方であっても勿論構わない。
（付記１）
電子・電気機器にＡＣ電源を受電するインレットからＡＣ電源コードが離脱することを防止するための装置であって、
前記電子・電気機器の筐体と前記インレットとの間に挟み込まれる台座部と、
前記台座部に接続された支持部と、
前記支持部に接続され、ＡＣ電源コード、又はプラグ部分を巻き付けるように包んで固定するバンド状の固定部と、
を有することを特徴とするＡＣ電源コード固定装置。
（付記２）
前記固定部は、面ファスナーを用いてＡＣ電源コード、又はプラグ部分を前記支持部に固定することを特徴とする付記１記載のＡＣ電源コード固定装置。
（付記３）
前記固定部は、ケーブルタイを用いてＡＣ電源コード、又はプラグ部分を前記支持部に固定することを特徴とする付記１記載のＡＣ電源コード固定装置。
（付記４）
前記固定部、支持部、台座部の各接続部分は、自由な角度に可逆的に折り曲げられることを特徴とする付記１、付記２、及び付記３記載のＡＣ電源コード固定装置。
【図面の簡単な説明】
【００２１】
【図１】本発明の実施の形態の説明図
【図２】本発明の実施の形態を示す斜視図１
【図３】本発明の実施の形態を示す斜視図２
【図４】本発明の実施の形態を示す斜視図３
【図５】本発明の実施の形態を示す斜視図４
【図６】本発明の実施の形態を示す斜視図５
【図７】本発明の実施の形態を示す斜視図６
【図８】本発明の実施の形態を示す斜視図７
【図９】本発明の実施の形態を示す斜視図８
【符号の説明】
【００２２】
１      ＡＣ電源コード固定装置
２      電子・電気機器の筐体
３      インレット
１１      台座部
１２      支持部
１３      固定部
１４      文書表示手段
２１      面ファスナー
４１      プラグ
４２      ＡＣ電源コード
１１１      スリット
１３１      面ファスナー
１３２      面ファスナー
【図１】
2006228535.tif 000003
【図２】
2006228535.tif 000004
【図３】
2006228535.tif 000005
【図４】
2006228535.tif 000006
【図５】
2006228535.tif 000007
【図６】
2006228535.tif 000008
【図７】
2006228535.tif 000009
【図８】
2006228535.tif 000010
【図９】
2006228535.tif 000011